(57)【要約】【課題】トイレ便器表面の汚れを掻き起こしながら、その掻き起こした汚れをきれいに掻き取ることのできるトイレクリーナーを提供する。【解決手段】ヘッド１と握り柄２を連結してトイレクリーナーを構成する。ヘッド１にはヒダ５ａないし５ｂとそれに隣接してステック状突起８ａないしブラシ状突起８ｂあるいはステック状とブラシ状が混合した突起８ｃがある。これらの突起が便器４の表面のしつこい汚れ１１を掻き起こし、それをヒダ５ａないし５ｂが掻き取ることで、便器４の表面がピカピカするほどきれいに清掃ができる。【選択図】図９
2020000813.tif 000002
【特許請求の範囲】
【請求項１】
トイレの便器の汚れを清掃するトイレクリーナーであって、ヘッドと握り柄を備え、ヘッドにエッジとヒダを有し、そのヒダの長手方向の適宜な位置にスリットを入れた掻き取り機構を設けてなることを特徴とするスクレーパー式トイレクリーナー。
【請求項２】
トイレの便器の汚れを清掃するトイレクリーナーであって、ヘッドと握り柄を備え、ヘッドにエッジとヒダを有し、そのヒダに隣接ないしヒダとヒダの間にブラシ状またはスティク状、あるいはブラシ状とスティク状の混在した突起の有る掻き取り機構を設けてなることを特徴とするスクレーパー式トイレクリーナー。
【請求項３】
トイレの便器の汚れを清掃するトイレクリーナーであって、ヘッドと握り柄を備え、ヘッドにエッジとヒダを有し、そのヒダの長手方向の適宜な位置にスリットを入れ、そのヒダに隣接ないしヒダとヒダの間にブラシ状またはスティク状、あるいはブラシ状とスティク状の混在した突起の有る掻き取り機構を設けてなることを特徴とするスクレーパー式トイレクリーナー。
【発明の詳細な説明】
【技術分野】
【０００１】  本発明は、トイレの便器を清掃する用具であるトイレクリーナーの便器の汚れを掻き取る機構に関する。
【背景技術】
【０００２】  この種の掻き取る機構として、主に従来のブラシ式（図１）、従来のスポンジ式（図２）、従来のスクレーパー式（図３）などが有る。【０００３】  しかし、従来のブラシ式はしつこい汚れも掻き取り易く掻き取る幅も広いがブラシ間に隙間があるため微細な普通の汚れの取りこぼしがある、清掃中ブラシが跳ねて水跳ねが生じ易い、毛細官現象によりブラシ間に水分が残る、従来のスポンジ式は水跳ねはなく掻き取る幅も広いが、しつこい汚れを落とし難い、水分の吸収が多いため乾燥が遅く不衛生、従来のスクレーパー式は普通の汚れは良く掻き取り水跳ねも生じ難く水分の付着も少ないので衛生的だが、しつこい汚れを落とし難い、掻き取る幅が狭いなどの評価がある。【０００４】  従来のスクレーパー式は、自動車のワイパーをヒントに図３の（Ａ）（Ｂ）に示すように軟質樹脂製の多数のヒダ５をヘッド１に設け、図３の（Ｃ）に示すようにそのヒダ５で図５に示す普通の汚れ１０を図３の（Ｄ）で示す掻き取り幅７ａで掻き取るもので、図４の（Ａ）（Ｂ）および（Ｃ）に示すように他の方式に比し便器４の表面にツヤがでるほどきれいに普通の汚れ１０を掻き取る。さらに水切れも他の方式より良く乾燥が速くて衛生的だがヒダが軟質樹脂製のためしつこい汚れを掻き取り難い、掻き取り幅が狭いなどの評価がある。（特表第２００４−５１６９１２号公報参照）
【先行技術文献】
【特許文献】
【０００５】
【特許文献１】特表第２００４−５１６９１２号公報
【発明の概要】
【発明が解決しようとする課題】
【０００６】  従来のブラシ式はしつこい汚れも掻き取り易く掻き取り幅も広いが、ブラシ間に隙間があるため微細な普通の汚れの取りこぼしがある、清掃中ブラシの先が跳ねて水跳ねが生じ易い、毛細官現象によりブラシ間に水分が残り清掃後の乾燥に時間を要するためブラシに雑菌が繁殖する、従来のスポンジ式は水跳もなく掻き取り幅も広いが、しつこい汚れを掻き取り難い、普通の汚れもブラシほどではないが取りこぼしがある、水分の吸収が多いため清掃後の乾燥が遅くスポンジ内に雑菌が繁殖し不衛生、特表第２００４−５１６９１２号公報の従来のスクレーパー式は水跳ねも生じ難く水分の付着も少なく普通の汚れもきれいに掻き取るがしつこい汚れを掻き取り難い、掻き取り幅が狭いなどの評価が有る。
そこで清掃中に水跳ねし難い、清掃後の乾燥が早く衛生的、掻き取り幅も広く普通の汚れもしつこい汚れも掻き取ることのできるトイレクリーナーを提供することを課題とする。
【課題を解決するための手段】
【０００７】  上記課題を解決するためになされた本願発明１のスクレーパー式トイレクリーナーは、トイレの便器の汚れを清掃するトイレクリーナーであって、図６の（Ａ）（Ｂ）に示すようにヘッド１と握り柄２を備え、ヘッド１にエッジ９ａ、９ｂとヒダ５ａを有し、ヘッドの先端あるいは後端でヒダの長さが短い箇所ではヒダにスリットは入らないが、その他の箇所では図６の（Ｂ）のＩ―Ｉ断面図である図６の（Ｃ）に示すようにヒダ５ａの長手方向の適宜な位置にスリット６の入ったヒダ５ｂを有した掻き取り機構を設けてなることを特徴とする。【０００８】  上記課題を解決するためになされた本願発明２のスクレーパー式トイレクリーナーは、トイレの便器の汚れを清掃するトイレクリーナーであって、図８の（Ａ）に示すようにヘッド１と握り柄２を備え、図８の（Ｂ）に示すようにヘッド１にエッジ９ａ、９ｂとヒダ５ａを有し、そのヒダ５ａに隣接ないしヒダ５ａとヒダ５ａの間に図７の（Ａ）に示すスティク状突起８ａまたは（Ｂ）に示すブラシ状突起８ｂ、あるいは（Ｃ）に示すステック状とブラシ状の混在した突起８ｃなどを有した掻き取り機構を設けてなることを特徴とする。【０００９】  上記課題を解決するためになされた本願発明３のスクレーパー式トイレクリーナーは、トイレの便器の汚れを清掃するトイレクリーナーであって、図９の（Ａ）に示すようにヘッド１と握り柄２を備え図９の（Ｂ）に示すようにヘッド１にエッジ９ａ、９ｂと、ヘッドの先端あるいは後端でヒダの長さが短い箇所では、ヒダにスリットは入らないが、その他の箇所ではヒダ５ａの長手方向の適宜な位置にスリット６を入れたヒダ５ｂと、そのヒダ５ｂに隣接ないしヒダ５ｂとヒダ５ｂの間にステック状突起８ａまたはブラシ状突起８ｂ、あるいはステック状とブラシ状の混在した突起８ｃを有した掻き取り機構を設けてなることを特徴とする。
【発明の効果】
【００１０】本願発明１のスクレーパー式トイレクリーナーおいては、図６の（Ａ）（Ｂ）（Ｃ）に示すようにヘッド１にヒダ５ａの適宜な位置にスリット６の入ったヒダ５ｂを設けることにより、図６の（Ｄ）に示すようにヒダ５ｂが従来のスクレーパー式のヒダ５ａより深く屈曲して掻き取り幅７ｂが図３の（Ｄ）に示す掻き取り幅７ａよりかなり広くなる。この違いは図４（Ｃ）の従来のスクレーパー式の書取り幅の実験写真と本願発明１の実験写真（Ｄ）からも明らかである。またヒダ５ｂが深く屈曲できることによりしつこい汚れ１１も従来のスクレーパー式より取り易くなる。【００１１】  本願発明２のスクレーパー式トイレクリーナーにおいては、図８の（Ａ）（Ｂ）（Ｃ）に示すヘッド１にヒダ５とエッジ９ａ、９ｂとヒダ５ａに隣接あるいはヒダ５ａと５ａの間に図７の（Ａ）に示すステック状突起８ａあるいは（Ｂ）に示すブラシ状突起８ｂあるいは（Ｃ）に示すステック状とブラシ状の混合突起８ｃが図１０の（Ａ）（Ｂ）にステック状突起を例えに示すように、便器４の表面のしつこい汚れを突起８ａで掻き起こし、それをヒダ５ａが隙間を作ることなくきれいに掻きとることが出来るので、従来のスクレーパー式だけでは取れなかった便器表面のしつこい汚れ１１を掻き取り、同時にステック状突起の屈曲で掻き取り幅も従来のスクレーパー式よりは広くなる。。【００１２】  本願発明３のスクレーパー式トイレクリーナーにおいては、図９の（Ａ）（Ｂ）および（Ｃ）に示すヘッド１にヒダ５ａの長手方向の適宜の位置にスリット６の入ったヒダ５ｂとエッジ９ａ、９ｂとヒダ５ｂに隣接あるいはヒダ５ｂと５ｂの間に図７の（Ａ）に示すステック状突起８ａあるいは（Ｂ）に示すブラシ状突起８ｂあるいは（Ｃ）に示すステック状とブラシ状の混合突起８ｃが図１０の（Ａ）（Ｂ）にステック状突起を例えに示すように、便器４の表面のしつこい汚れ１１を突起８ａで掻き起こし、それをヒダ５ｂが隙間を作ることなくきれいに掻きとることが出来るので、従来のスクレーパー式だけでは取れなかった便器表面のしつこい汚れ１１を掻き取り、掻き取り幅７も図６の（Ｄ）に示す掻き取り幅７ｂのように広くなる。【００１３】  スティク状突起はヒダと同じ材質で一体成型で作ることもできてコストが安いが、掻き取り能力はブラシ状突起に及ばない。ブラシ状突起は植毛のためコストが高く又水分を含み易いが、掻き取り能力は高い。
スティク状とブラシ状の混合突起は水分を含み易く植毛のコストも高いブラシの数を減らしながら、ステック状突起より高い掻き取り性能があるなど突起の種類で性能を加減できる。【００１４】  ステック状突起は水分を含むことがないので乾燥も早いが、ブラシ状突起は水分を含み易いので乾燥にも時間を要するが、従来のブラシ式に比べてブラシの長さが短く本数も半分以下なので、乾燥時間も短縮される。
【図面の簡単な説明】
【００１５】
【図１】  図１の（Ａ）は従来のブラシ式トイレクリーナーの側面図である。図１の（Ｂ）は従来のブラシ式トイレクリーナー裏面図である。
【図２】  図２の（Ａ）は従来のスポンジ式トイレクリーナー側面図である。図２の（Ｂ）従来のはスポンジ式トイレクリーナー裏面図である。
【図３】  図３の（Ａ）は従来のスクレーパー式トイレクリーナーの側面図である。図３の（Ｂ）は従来のスクレーパー式トイレクリーナーの裏面図である。図３の（Ｃ）は従来のスクレーパー式トイレクリーナーの図３の（Ｂ）に示すＩ―Ｉ断面の断面図である。図３の（Ｄ）は従来のスクレーパー式トイレクリーナーのヒダの掻き取り幅の説明図である。
【図４】  図４の（Ａ）はマヨネーズを汚れに見立てて行った従来のブラシ式トイレクリーナーの汚れ掻き落とし比較実験写真である。上方から下方へ１回だけ掻いたもの。図４の（Ｂ）はマヨネーズを汚れに見立てて行った従来のスポンジ式トイレクリーナーの汚れ掻き落とし比較実験写真である。上方から下方へ１回だけ掻いたもの。図４の（Ｃ）はマヨネーズを汚れに見立てて行った従来のスクレーパー式トイレクリーナーの汚れ掻き落とし比較実験写真である。上方から下方へ１回だけ掻いたもの。図４の（Ｄ）はマヨネーズを汚れに見立てて行った本願発明１に係わるスクレーパー式トイレクリーナーの汚れ掻き落とし比較実験写真である。上方から下方へ１回だけ掻いたもの。
【図５】  図５の（Ａ）は従来のスクレーパー式トイレクリーナーのヒダ５ａが便器４の表面の普通の汚れ１０を掻き取る説明図である。図５の（Ｂ）は従来のスクレーパー式トイレクリーナーのヒダ５ａが便器４の表面のしつこい汚れ１１を掻き残す説明図である。
【図６】  図６の（Ａ）は本願発明１係わるスクレーパー式トイレクリーナーの側面図である。図６の（Ｂ）は本願発明１係わるスクレーパー式トイレクリーナーの裏面図である。図６の（Ｃ）は本願発明１係わるスクレーパー式トイレクリーナーの図６の（Ｂ）に示すＩ−Ｉ断面の断面図である。図６の（Ｄ）は本願発明１に係わるスクレーパー式トイレクリーナのヒダ５ｂの掻き取り幅の説明図である。
【図７】  図７の（Ａ）は本願発明２および本願発明３に係わるステック状突起８ａとヒダ５ａないし５ｂの概念図である。図７の（Ｂ）は本願発明２および本願発明３に係わるブラシ状突起８ｂとヒダ５ａないし５ｂの概念図である  図７の（Ｃ）は本願発明２および本願発明３に係わるステック状突起とブラシ状突起とが混在した突起８ｃとヒダ５ａないし５ｂの概念図である。
【図８】  図８の（Ａ）は本願発明２に係わるスクレーパー式トイレクリーナーの、図８の（Ｂ）に示す断面Ｉ―Ｉの断面図である。図８の（Ｂ）は本願発明２に係わるスクレーパー式トイレクリーの裏面図である。図８の（Ｃ）は本願発明２に係わるスクレーパー式トイレクリーナーの、図８の（Ｂ）に示す断面ＩＩ―ＩＩの断面図である。
【図９】  図９の（Ａ）は本願発明３に係わるスクレーパー式トイレクリーナーの、図９の（Ｂ）に示す断面Ｉ―Ｉの断面図である。図９の（Ｂ）は本願発明３に係わるスクレーパー式トイレクリーの裏面図である。図９の（Ｃ）は本願発明３に係わるスクレーパー式トイレクリーナーの、図９の（Ｂ）に示す断面ＩＩ―ＩＩの断面図である
【図１０】  図１０の（Ａ）は本願発明２ないし３に係わるスクレーパートイレクリーナーのヒダ５ａ，５ｂとステック状突起８ａとの高さ関係の例の説明図である。ステック状突起８ａの材質の硬度がヒダ５ａ，５ｂのそれと同等ないし柔らかい場合にはステック状突起８ａの高さがヒダ５ａ，５ｂの高さより高くなる。図１０の（Ｂ）も本願発明２ないし３に係わるスクレーパー式トイレクリーナーのヒダ５ａ，５ｂとステック状突起８ａとの高さ関係の例の説明図である。ステック状突起８ａの材質の硬度がヒダ５ａ，５ｂのそれより硬い場合にはステック状突起８ａの高さがヒダ５ａ，ｂａの高さより低くなる。図１０の（Ａ），図１０の（Ｂ）の説明はブラシ状突起８およびステック状とブラシ状が混在した突起８ｃに於いても同じである。
【図１１】  図１１の（Ａ）は本願発明１と本願発明２さらに本願発明３のスクレーパー式トイレクリナーに共通した実施例の一つでヘッド１の裏面部と握り柄とが所定の角度をもってセットされている。図１１の（Ｂ）は本願発明１と本願発明２さらに本願発明３のスクレーパー式トイレクリナーに共通した実施例の一つで、ヘッド１の裏面部と握り柄とが所定の角度をもってセットされている物の使用方法のイラスト図である。図１１の（Ｃ−１）は本願発明２と本願発明３のスクレーパー式トイレクリナーに共通したもう一つの実施例である。握り柄２の先端にヒダ５と突起８を備えた扁平なヘッド１が設けられている。図１１の（Ｃ−２）は（Ｃ−１）に示す扁平なヘッド１のヘッド部が図示のように右あるいは左方向に０〜３０度程度傾いている。。図１１の（Ｄ−１）は（Ｃ−１）の側面図である。図１１の（Ｄ−２）は（Ｃ−１）の側面が図示のように右あるいは左方向に０〜５０度程度傾いている。図１１の（Ｅ）は図１１の（Ｃ−１）（Ｄ−１）に示す本願発明２および本願発明３に係わるスクレーパー式トイレクリーナーの使用方法のイラスト図である。
【発明を実施するための形態】
【００１６】  図６の（Ａ）（Ｂ）（Ｃ）（Ｄ）は本願発明１に係わるスクレーパー式トイレクリーナーの便器の汚れを掻き取るヘッド１の形態である。ヘッド１はシャープエッジ９ａあるいはラウンドエッジ９ｂとヒダ５とヒダの長手方向の適宜な位置にスリット６の入ったヒダ５ａを備えてなる。
【００１７】  図７の（Ａ）（Ｂ）（Ｃ）および図８の（Ａ）（Ｂ）（Ｃ）は本願発明２に係わるスクレーパー式トイレクリーナーの便器の汚れを掻き取るヘッド１の形態である。図８に示すヘッド１はシャープエッジ９ａあるいはラウンドエッジ９ｂとヒダ５に隣接あるいはヒダ５と５の間に図７の（Ａ）に示すステック状突起８ａあるいは（Ｂ）に示すブラシ状突起８ｂあるいは（Ｃ）に示すステック状とブラシ状の混在した突起８ｃを備えてなる。
【００１８】  図７の（Ａ）（Ｂ）（Ｃ）および図９の（Ａ）（Ｂ）（Ｃ）は本願発明３に係わるスクレーパー式トイレクリーナーの便器の汚れを掻き取るヘッド１の形態である。図９に示すヘッド１はシャープエッジ９ａあるいはラウンドエッジ９ｂとヒダ５とヒダの長手方向の適宜な位置にスリット６の入ったヒダ５ａとそれらに隣接あるいはヒダ５，５ａと５，５ａの間に図７の（Ａ）に示すステック状突起８ａあるいは（Ｂ）に示すブラシ状突起８ｂあるいは（Ｃ）に示すステック状とブラシ状の混在した突起８ｃを備えてなる。
【００１９】  図１０の（Ａ）はヒダ５、５ａの材質硬度がステック状突起８ａあるいはブラシ状突起８ｂの材質硬度より同等か硬い場合の作動図でヒダ５、５ａの高さよりステック状突起８ａあるいはブラシ状突起８ｂの高さの方が高くなっている。
【００２０】  図１０の（Ｂ）はヒダ５の材質硬度がステック状突起８あるいはブラシ突起９の材質硬度より柔らかい場合の作動図で、ヒダ５の高さよりステック状突起８あるいはブラシ状突起９の高さの方が低くなっている。
【００２１】図８本願発明２および図９の本願発明３のヘッド１はヒダ５、５ａスティク状突起８ａと共に軟質樹脂の一体成型も可能で、ブラシ状突起８ｂを用いる場合はプラスチック成型品あるいは樹皮あるいは動物の毛などからなるブラシをベース３の所定の位置に植毛する。これらを保有するベース３は軟質樹脂製あるいはプラスチック製あるいは木製であり、握り柄２はヘッド１のベース３と一体成型あるいは挿入接続されたプラスチツク成型品あるいは木製品である。
【００２２】スリットの位置は各ヒダ間のスリットどうしが重なって汚れを掻きこぼし隙間ができないように、図９（Ｂ）に示すように千鳥様に配置してある。
【００２３】エッジ９の形状は角がシャープなシャープエッジ９ａあるいは角が丸みをおびたラウンドエッジ９ｂあるいは部分的に９ａ、９ｂである。シャープエッジかラウンドエッジかの選択は、ヘッド先端部がシャープだとややもするとブラシ式ほどではないが水跳ねがおこりがちなので丸みで先端をやや厚くして、それを防ぐか否かによる。ヘッド側面部がシャープエッジだと便器内の垂直に近い面の汚れが掻き落と易いので、側面部をシャープエッジにして先端部をラウンドエッジにすることもできる。
【実施例】
【００２４】図１１の（Ａ）（Ｂ）は本願発明１と本願発明２さらに本願発明３に係わるスクレーパー式トイレクリーナーの１例目の実施例である。
図１１の（Ａ）に示すようにヘッド１の裏面ないしエッジ９ａ，９ｂのラインと握り柄２の間の角度αａが５０〜９０度であると、図１１の（Ｂ）の溝付便器上部Ｆに示すように便器上部に溝がある場合でも容易にしつこい汚れ１１を図１０の（Ａ）および（Ｂ）に示すように掻き取ることができその掻き取り幅も図６の（Ｄ）の７ｂのように広い。さらにＧに示す場所もヘッド１を反転させて汚れを掻き落とすことができる。
図１１の（Ｂ）に示す溝付便器上部Ｆに付着した普通の汚れ１０なら従来のスクレーパー式トイレクリーナーでも掻き落とすことが出来るものもあるが、掻き取り幅は図３の（Ｄ）に示す７ａのように狭くしつこい汚れ１１も図５の（Ｂ）のように取りこぼしがある。特に便器排水口上側Ｇの部分はスクレーパー式トイレクリーナーが清掃を得意とする部位である。【００２５】図１１の（Ｃ）（Ｄ）（Ｅ）は本願発明２と本願発明３に係わるスクレーパー式トイレクリーナーの２例目の実施例である。
図１１の（Ｃ−１）は正面図でヘッド１と握り柄２が０〜３０度程度の角度αｂを持って（Ｃ−２）に示すように取り付けられている。（Ｄ−１）は（Ｃ−１）の側面図でヘッド１と握り柄２が０〜６０度程度の角度αｃを持って（Ｄ−２）に示すように取り付けられている。（Ｅ）に示す便器は便器上部Ｈに溝のないタイプのもので、この部分は（Ｅ）に示すようにヘッド１の肩部１２を使って汚れを掻き落とすことができる。従来のブラシ式や従来のスポンジ式トイレクリーナーでも同様の使い方はできるが、しつこい汚れをきれいに掻き取ることや乾燥が早いなどの点で本願発明２と本願発明３のスクレーパー式トイレクリーナーはこの形状でも優れている。
【符号の説明】
【００２６】１    ヘッド
２    握り柄
３    ベース
４    便器
５    ヒダ
５ａ  ヒダの長手方向にスリットの無いヒダ
５ｂ  ヒダの長手方向にスリットの入ったヒダ
６    スリット
７    汚れ掻き取り幅
７ａ  従来のスクレーパー式トイレクリーナーのヒダの汚れ掻き取り幅
７ｂ  本願発明１ないし本願発明３のスクレーパー式トイレクリーナーのヒダの汚れ掻き      取り幅
８    突起
８ａ  ステック状突起
８ｂ  ブラシ状突起
８ｃ  ステック状とブラシ状が混在した突起
９    エッジ
９ａ  シャープエッジ
９ｂ  ラウンドエッジ
１０  普通の汚れ
１１  しつこい汚れ
１２  ヘッドの肩部
α    ヘッドと握り柄の間の角度
αａ  ヘッドと握り柄の間の角度（５０〜９０度）
αｂ  ヘッドと握り柄の間の角度（０〜３０度）
αｃ  ヘッドと握り柄の間の角度（０〜６０度）
１２  ヘッドの肩部
Ｃ    トイレクリーナー
Ｆ    溝付便器上部
Ｇ    便器排水口上側
Ｈ    溝無し便器上部
【図１】
2020000813.tif 000003
【図２】
2020000813.tif 000004
【図３】
2020000813.tif 000005
【図４】
2020000813.tif 000006
【図５】
2020000813.tif 000007
【図６】
2020000813.tif 000008
【図７】
2020000813.tif 000009
【図８】
2020000813.tif 000010
【図９】
2020000813.tif 000011
【図１０】
2020000813.tif 000012
【図１１】
2020000813.tif 000013